(57)【特許請求の範囲】
【請求項１】
無線綴じ本に綴じ込まれる偏平状記録媒体の包装体であって、腰のある用紙からなり折線を介して連接する同じ大きさの２つの紙片における一方の紙片に、偏平状記録媒体を入れた収納袋が貼り付けられ、前記一方の紙片における前記収納袋の周囲に形成した固定用糊部と前記一方の紙片における３辺の端縁に沿って形成した重合用糊部とを介して両紙片を貼り合わせることで作製され、製本時においては、折線の部分を背側として他の刷本と共に丁合されて無線綴じすることで本に綴じ込まれるとともに、重合用糊部で接着された３辺を当該糊部を全て落とさないようにして仕上げ断裁が行われるようになっていることを特徴とする偏平状記録媒体の包装体。
【請求項２】
収納袋における偏平状記録媒体のデータ面に当接する側に不織布を用いた請求項１に記載の偏平状記録媒体の包装体。
【請求項３】
貼り合わされた両紙片の角部に未接着部分が形成されてなる請求項１又は２に記載の偏平状記録媒体の包装体。
【発明の詳細な説明】
【０００１】
【発明の属する技術分野】
本発明は、コンパクトディスク（ＣＤ）、ミニディスク（ＭＤ）等の偏平状記録媒体を雑誌等の書籍の付録として添付する場合に使用される偏平状記録媒体の包装体に関するものである。
【０００２】
【従来の技術】
従来、雑誌等の書籍の付録としてＣＤ等の偏平状記録媒体を添付する場合、これらを厚紙のパッケージや紙製又はフィルム製の袋に収納し、これらを書籍の頁間に挟み込んで販売形態とすることが一般的に行われている。しかしながら、この挟み込み方式では搬送中等の流通段階においてＣＤ等を収納したパッケージや袋が簡単に外れてしまい品質保証の点で問題がある上に、店頭での販売時には盗難に遭いやすい等の問題が多いことから、最近では、パッケージ自体を頁全体としたものを巻頭や巻末或いは任意頁に綴じ込んで製本した形態の平綴本或いは無線綴本、又はＣＤ入り収納袋を頁の一部として貼り合わせて一体化したものを巻頭や巻末或いは任意頁に綴じ込んで製本した形態の中綴本、平綴本或いは無線綴本が販売されている。
【０００３】
【発明が解決しようとする課題】
上記した板紙製のパッケージを用いてＣＤを綴じ込んだ本については、本全体が分厚く嵩張る上、パッケージ自体に撓み性がないことからＣＤを取り出した後も頁を捲り難いという欠点があり、さらに材料費面でコストがそれ程低くないという問題点があった。これに対して、封筒状の収納袋を用いてＣＤを綴じ込んだ本については、かかる板紙製のパッケージ特有の問題点はさほどなく、多くの雑誌にＣＤが添付されるようになった現状では、雑誌としての使い勝手の優る封筒状の収納袋を貼り込んだ本の方が望ましい。
【０００４】
しかしながら、板紙製のパッケージは製本が簡単であるのに対し、封筒状の収納袋は本に綴じ込むのが簡単ではない。すなわち、予めＣＤを入れた収納袋を準備しておき、最終製本を経て完成した雑誌等の所定頁を開いてそこにＣＤ入り収納袋を手作業で貼り込むか、或いは、貼り込みを行う頁の折丁に対してＣＤ入り収納袋を手作業で貼り込んだ特殊折丁を予め準備しておき、これを製本機にて通常の折丁と綴じ合わせていた。
【０００５】
本発明は、上記のような事情に鑑みてなされたものであり、その目的とするところは、可撓性があり、しかも本への綴じ込みも簡単な偏平状記録媒体の包装体を提供することにある。
【０００６】
【課題を解決するための手段】
上記目的を達成するために、本発明に係る偏平状記録媒体の包装体は、無線綴じ本に綴じ込まれる偏平状記録媒体の包装体であって、腰のある用紙からなり折線を介して連接する同じ大きさの２つの紙片における一方の紙片に、偏平状記録媒体を入れた収納袋が貼り付けられ、前記一方の紙片における前記収納袋の周囲に形成した固定用糊部と前記一方の紙片における３辺の端縁に沿って形成した重合用糊部とを介して両紙片を貼り合わせることで作製され、製本時においては、折線の部分を背側として他の刷本と共に丁合されて無線綴じすることで本に綴じ込まれるとともに、重合用糊部で接着された３辺を当該糊部を全て落とさないようにして仕上げ断裁が行われるようになっていることを特徴としている。
【０００７】
そして、収納した偏平状記録媒体のデータ面を保護するため、上記収納袋における偏平状記録媒体のデータ面に当接する側に不織布を用いるのが好ましい。また、収納された偏平状記録媒体の取出しを容易にするため、貼り合わされた上記両紙片の角部に未接着部分を形成しておくとよい。
【０００８】
本発明の包装体は、無線綴じされて本に綴じ込まれた後、仕上げ断裁工程により３辺を断裁されるので、両紙片を貼り合わせた状態では本のサイズより僅かに大きくなっている。そして、ＣＤ等の偏平状記録媒体を入れた収納袋を中央部に配置することが可能になり、さらに周縁にはＣＤの存在しない紙のみの部分が形成されることになる。従って、ＣＤ等の偏平状記録媒体を折丁の中央部に配置することで、製本機の断裁工程におけるクリアランス内での断裁は言うに及ばずクリアランスを超える断裁においてもＣＤを断裁する確率を低減することが可能になる。
【０００９】
【発明の実施の形態】
以下、図面を参照して本発明の実施形態について説明する。
【００１０】
図１は本発明に係る包装体をその２つの紙片を貼り合わせて閉じる前の状態で示す斜視図である。
【００１１】
図１において１，２は同じ大きさの紙片で、折罫、ミシン目等の折線ａを介して折曲げ可能に連接しており、その一方の紙片１における略中央部に収納袋３が剥がれない程度に糊で貼り付けられている。紙片には表紙に使われるような腰のある用紙が用いられており、各紙片１，２のサイズは、包装体として綴じ込む本のサイズより僅かに大きく設定されている。収納袋３は２枚のシートを重ね合わせて三方を溶断して作製される公知のものであり、開いた一辺から中にＣＤ４を入れてある。この収納袋３のシートは２枚ともフィルム製でもよいが、少なくとも一方のシートに樹脂製不織布を使用し、ＣＤ４のデータ面を保護するようにするのが好ましい。
【００１２】
一方の紙片１の略中央部にＣＤ４入りの収納袋３を貼り付けた後、図示の如く一方の紙片１における収納袋３の周囲に固定用糊部５を形成し、さらに一方の紙片１における３辺の端縁に沿って重合用糊部６を形成する。これらの糊部５，６はＣＤ４を取り出す際に剥がすところになるので、糊をドット状に配置した形態にするのが剥がしやすさの点からして好ましい。このように糊部５，６を形成してから、一方の紙片１に対して他方の紙片２を折線ａで折り曲げ、両紙片１，２を両方の糊部５，６で貼り合わせて包装体を作製する。
【００１３】
このようにして作製された包装体は、折線ａの部分を背側として他の刷本と共に丁合されて無線綴じすることで本に綴じ込まれる。次いで、くるみ表紙の取付け工程、仕上げ断裁工程を経て製本が完了する。この断裁時において、収納袋３は一方の紙片１の略中央部に固定され、さらに収納袋３の周囲では固定用糊部５により両紙片１，２を貼り合わせているので、収納袋３の中のＣＤ４はその移動が制約され固定用糊部５より外側にずれない。すなわち、ＣＤ４は包装体の略中央部にあって断裁する周縁には存在しないので、ＣＤ４を傷付けることなく安全に断裁を行うことができる。
【００１４】
また、この仕上げ断裁は、包装体における折線以外の３辺、すなわち重合用糊部６で接着された３辺を断裁することによって行われるので、重合用糊部６を全て落とすことがないように、断裁サイズに合わせて予め重合用糊部６を設ける領域を決めておく必要がある。
【００１５】
本に綴じ込まれた包装体からＣＤを取り出すには、貼り合わせた両紙片の角部に未接着部分を形成しておき、そこから両紙片１，２を引き剥がすようにすればよい。具体的には、図のように一方の紙片１の角部において重合用糊部６を内側に形成し、ここを未接着部分７とする。このような未接着部分７を設けてない場合は、カッターやハサミを利用してＣＤを取り出せばよい。
【００１６】
図２は連接紙片にＣＤ入りの収納袋を貼り付ける方式についての説明図で、図中２００は貼込機、２０１は紙片搬送部、２０２はＣＤ入り収納袋の供給部、２０３は糊付け部、２０４は圧着ドラムであり、紙片搬送部２０１上を流れる連接紙片Ｓ（紙片１と紙片２が連接したもの）に対して糊付け部２０３で糊を塗布した上で供給部２０２から供給されたＣＤ入りの収納袋３が圧着ドラム２０４によりプレスされて貼込みが行われるものである。
【００１７】
具体的に説明すると、紙片搬送部２０１においては、連接紙片Ｓが一部ずつ圧着ドラム２０４側に搬送されており、圧着ドラム２０４の手前では搬送されてくる連接紙片Ｓに糊付け部２０３により糊Ｇが塗布され、連接紙片Ｓの所定位置に糊部が形成される。供給部２０２においては、積層状態でセットされた収納袋３を下側の搬出ベルト２０５を回転させることにより外側の搬送コンベア２０６に送り出しており、搬送コンベア２０６は収納袋３を一対のベルトで挟んで圧着ドラム２０４に送っている。圧着ドラム２０４は紙片搬送部２０１と同速度で回転しており、その周囲に位置決め用突起２０７を具備しており、搬送コンベア２０６から送られてきた収納袋３を当接させて位置合わせを行うものであり、その後は、その周面の所定位置に位置決めされた収納袋３を押しベルト、ローラー、吸着等の適宜手段により保持することにより、糊部を形成された連接紙片Ｓと収納袋３を圧着ドラム２０４と紙片搬送部２０１との間に形成されたニップ部でプレスすることにより、糊部を介して貼り合わせが行われる。
【００１８】
このようにして連接紙片ＳにＣＤ入り収納袋３を糊付けした後、同じライン上で連接紙片Ｓを搬送しながら、糊付けローラーにより糊をパターン塗布して固定用糊部５と重合用糊部６を形成する。続いて、同じライン上で連接紙片Ｓを搬送しながら、一方の紙片１に対して他方の紙片２を折線ａで折り曲げ、両紙片１，２を糊部５，６で貼り合わせて包装体を作製する。
【００１９】
【発明の効果】
以上説明したように、本発明の偏平状記録媒体の包装体は、腰のある用紙からなる２枚の紙片の間で且つその略中央部に収納袋をその中のＣＤが移動しない状態で挟み込んだ構成にしたので、全体に撓み性があり、しかも通常の刷本と共に丁合して無線綴じすることができるので、本への綴じ込みも簡単に行うことができる。
【図面の簡単な説明】
【図１】本発明に係る包装体をその２つの紙片を貼り合わせて閉じる前の状態で示す斜視図である。
【図２】連接紙片にＣＤ入り収納袋を貼り付ける方式についての説明図である。
【符号の説明】
１，２  紙片
ａ  折線
３  収納袋
４  ＣＤ
５  固定用糊部
６  重合用糊部
７  未接着部分
【図１】
0003738922.tif 000002
【図２】
0003738922.tif 000003